【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
超音波オーディオシステムにおける歪を低減するための方法であって、
第１のオーディオ信号を受信することであって、前記受信される第１のオーディオ信号は、前記超音波オーディオシステムを用いて再生されるべきオーディオコンテンツを表す、受信することと、
前記超音波オーディオシステムの第１のエラー関数を計算することであって、前記第１のエラー関数は、Ｈ（ｘ１）２＋ｘ１２を含み、ここで、ｘ１は、前記受信される第１のオーディオ信号であり、かつＨ（ｘ１）は、前記受信される第１のオーディオ信号のヒルベルト変換である、計算することと、
前記第１のエラー関数の加法的逆元と前記受信される第１のオーディオ信号とを結合することにより、前記受信される第１のオーディオ信号を第１の予め調整されたオーディオ信号に変換することと、を含む方法。
【請求項２】
エミッタ応答またはフィルタ応答用に調整するために、前記結合するステップの前に、位相シフトまたは振幅調整、またはこれらの双方を周波数の関数として前記第１のエラー関数または前記第１のエラー関数の前記加法的逆元に適用することをさらに含む、請求項１に記載の方法。
【請求項３】
超音波オーディオシステムにおける歪を低減するための方法であって、
第１のオーディオ信号を受信することであって、前記受信される第１のオーディオ信号は、前記超音波オーディオシステムを用いて再生されるべきオーディオコンテンツを表す、受信することと、
前記超音波オーディオシステムの第１のエラー関数を計算することであって、前記第１のエラー関数は、Ｈ（ｘ１）２−ｘ１２を含み、ここで、ｘ１は、前記受信される第１のオーディオ信号であり、かつＨ（ｘ１）は、前記受信される第１のオーディオ信号のヒルベルト変換である、計算することと、
前記第１のエラー関数と前記受信される第１のオーディオ信号とを結合することにより、前記受信される第１のオーディオ信号を第１の予め調整されたオーディオ信号に変換することと、を含む方法。
【請求項４】
エミッタ応答またはフィルタ応答用に調整するために、前記結合するステップの前に、位相シフトまたは振幅調整、またはこれらの双方を周波数の関数として前記第１のエラー関数に適用することをさらに含む、請求項３に記載の方法。
【請求項５】
位相シフトまたは振幅調整、またはこれらの双方を周波数の関数として前記受信される第１のオーディオ信号に適用することをさらに含む、請求項２に記載の方法。
【請求項６】
位相シフトまたは振幅調整、またはこれらの双方を、周波数の関数として前記受信される第１のオーディオ信号に適用することをさらに含む、請求項４に記載の方法。
【請求項７】
前記第１の予め調整されたオーディオ信号を受信することと、
位相シフトまたは振幅調整、またはこれらの双方を周波数の関数として前記第１の予め調整されたオーディオ信号に適用して、調整された予め調整されたオーディオ信号を生成することと、
前記超音波オーディオシステムの第２のエラー関数を計算することであって、前記第２のエラー関数は、Ｈ（ｘ２）２−ｘ２２を含み、ここで、ｘ２は、前記調整された予め調整されたオーディオ信号であり、かつＨ（ｘ２）は、前記調整された予め調整されたオーディオ信号のヒルベルト変換である、計算することと、
位相シフトまたは振幅調整、またはこれらの双方を周波数の関数として前記第２のエラー関数に適用して、第３のエラー関数を生成することと、
前記第３のエラー関数と前記調整された予め調整されたオーディオ信号とを結合することにより、前記第１の予め調整されたオーディオ信号を第２の予め調整されたオーディオ信号に変換することと、をさらに含む、請求項５に記載の方法。
【請求項８】
追加的なエラー訂正サイクルをさらに含み、前記追加的なエラー訂正サイクルは、
前記追加的なエラー訂正サイクルのための前記第１の予め調整されたオーディオ信号および前記第１のエラー関数を受信することと、
前記超音波オーディオシステムの第２のエラー関数を計算することであって、前記第２のエラー関数は、Ｈ（ｘ２）２＋ｘ２２を含み、ここで、ｘ2は、前記第１の予め調整されたオーディオ信号であり、かつＨ（ｘ2）は、前記第１の予め調整されたオーディオ信号のヒルベルト変換である、計算することと、
第２のエラー関数の前記加法的逆元と前記受信された第１のオーディオ信号とを結合することにより、前記第１の予め調整されたオーディオ信号を第２の予め調整されたオーディオ信号に変換することと、を含む、請求項２に記載の方法。
【請求項９】
前記結合するステップの前に、位相シフトまたは振幅調整、またはこれらの双方を周波数の関数として前記第２のエラー関数または前記第２のエラー関数の前記加法的逆元に適用することにより、エミッタ応答またはフィルタ応答用に調整することをさらに含む、請求項８に記載の方法。
【請求項１０】
追加的なエラー訂正サイクルをさらに含み、前記追加的なエラー訂正サイクルは、
前記追加的なエラー訂正サイクルのための前記第１の予め調整されたオーディオ信号および前記第１のエラー関数を受信することと、
前記超音波オーディオシステムの第２のエラー関数を計算することであって、前記第２のエラー関数は、Ｈ（ｘ２）２−ｘ２２を含み、ここで、ｘ２は、前記第１の予め調整されたオーディオ信号であり、かつＨ（ｘ２）は、前記第１の予め調整されたオーディオ信号のヒルベルト変換である、計算することと、
前記第２のエラー関数と前記受信された第１のオーディオ信号とを結合することにより、前記第１の予め調整されたオーディオ信号を第２の予め調整されたオーディオ信号に変換することと、を含む、請求項４に記載の方法。
【請求項１１】
追加的なエラー訂正サイクルをさらに含み、前記追加的なエラー訂正サイクルは、
変調に先行して、前記追加的なエラー訂正サイクルのための前記第１の予め調整されたオーディオ信号および前記第１のエラー関数を受信することと、
前記超音波オーディオシステムの第２のエラー関数を計算することであって、前記第２のエラー関数は、Ｈ（ｘ２）２−ｘ２２を含み、ここで、ｘ２は、前記第１の予め調整されたオーディオ信号であり、かつＨ（ｘ２）は、前記第１の予め調整されたオーディオ信号のヒルベルト変換である、計算することと、
前記第１のエラー関数の前記加法的逆元と前記第２のエラー関数とを結合して、第３のエラー関数を生成することと、
第３のエラー関数の前記加法的逆元と前記第１の予め調整されたオーディオ信号とを結合することにより、前記第１の予め調整されたオーディオ信号を第２の予め調整されたオーディオ信号に変換することと、を含む、請求項４に記載の方法。
【請求項１２】
追加的なエラー訂正サイクルをさらに含み、前記追加的なエラー訂正サイクルは、
前記追加的なエラー訂正サイクルのための前記第１の予め調整されたオーディオ信号および前記第１のエラー関数を受信することと、
位相シフトまたは振幅調整、またはこれらの双方を周波数の関数として前記予め調整されたオーディオ信号に適用して、調整された予め調整されたオーディオ信号を生成することと、
前記超音波オーディオシステムの第２のエラー関数を計算することであって、前記第２のエラー関数は、Ｈ（ｘ２）２＋ｘ２２を含み、ここで、ｘ２は、前記調整された予め調整されたオーディオ信号であり、かつＨ（ｘ２）は、前記調整された予め調整されたオーディオ信号のヒルベルト変換である、計算することと、
位相シフトまたは振幅調整、またはこれらの双方を周波数の関数として前記第２のエラー関数に適用して、第３のエラー関数を生成することと、
前記第３のエラー関数の前記加法的逆元と前記受信された第１のオーディオ信号とを結合することにより、前記第１の予め調整されたオーディオ信号を第２の予め調整されたオーディオ信号に変換することと、を含む、請求項５に記載の方法。
【請求項１３】
追加的なエラー訂正サイクルをさらに含み、前記追加的なエラー訂正サイクルは、
前記追加的なエラー訂正サイクルのための前記第１の予め調整されたオーディオ信号および前記第１のエラー関数を受信することと、
位相シフトまたは振幅調整、またはこれらの双方を周波数の関数として前記予め調整されたオーディオ信号に適用して、調整された予め調整されたオーディオ信号を生成することと、
前記超音波オーディオシステムの第２のエラー関数を計算することであって、前記第２のエラー関数は、Ｈ（ｘ２）２＋ｘ２２を含み、ここで、ｘ２は、調整された予め調整されたオーディオ信号であり、かつＨ（ｘ２）は、前記調整された予め調整されたオーディオ信号のヒルベルト変換である、計算することと、
前記第１のエラー関数の前記加法的逆元と前記第２のエラー関数とを結合して第３のエラー関数を生成することと、
位相シフトまたは振幅調整、またはこれらの双方を周波数の関数として前記第３のエラー関数に適用して、第４のエラー関数を生成することと、
前記第４のエラー関数の前記加法的逆元を計算することと、
前記第４のエラー関数の前記加法的逆元と前記第１の予め調整されたオーディオ信号とを結合することにより、前記第１の予め調整されたオーディオ信号を第２の予め調整されたオーディオ信号に変換することと、を含む、請求項５に記載の方法。
【請求項１４】
前記第２の予め調整されたオーディオ信号を受信することと、
位相シフトまたは振幅調整、またはこれらの双方を周波数の関数として前記第２の予め調整されたオーディオ信号に適用して、調整された第２の予め調整されたオーディオ信号を生成することと、
前記超音波オーディオシステムの第４のエラー関数を計算することであって、前記第４のエラー関数は、Ｈ（ｘ３）２−ｘ３２を含み、ここで、ｘ３は、前記調整された第２の予め調整されたオーディオ信号であり、かつＨ（ｘ３）は、前記調整された第２の予め調整されたオーディオ信号のヒルベルト変換である、計算することと、
位相シフトまたは振幅調整、またはこれらの双方を周波数の関数として前記第４のエラー関数に適用して、第５のエラー関数を生成することと、
前記第５のエラー関数と前記第２の予め調整されたオーディオ信号とを結合することにより、前記第２の予め調整されたオーディオ信号を第３の予め調整されたオーディオ信号に変換することと、をさらに含む、請求項１２に記載の方法。
【請求項１５】
前記第１の予め調整されたオーディオ信号を受信することと、
前記超音波オーディオシステムの第２のエラー関数を計算することであって、前記第２のエラー関数は、Ｈ（ｘ２）２−ｘ２２を含み、ここで、ｘ2は、前記受信された予め調整されたオーディオ信号であり、かつＨ（ｘ2）は、前記予め調整されたオーディオ信号のヒルベルト変換である、計算することと、
前記第２のエラー関数と前記第１の予め調整されたオーディオ信号とを結合することにより、前記第１の予め調整されたオーディオ信号を第２の予め調整されたオーディオ信号に変換することと、をさらに含む、請求項１に記載の方法。